(57)【要約】【課題】  処置対象となる動物を一定の姿勢を保つように保定を行うことが必要ない、又は、保定を行う者の身体的な負担を軽減することが可能な獣医科用処置手術台を提供すること。【解決手段】  シンク２０を非常に浅い船底形に形成している。シンク２０は矩形水平枠２７に着脱可能に固定されており、さらに矩形水平枠２７は回転軸３３及び３４を介して伸縮脚３０及び３１に支持されている。また、矩形水平枠２７は梁材３２に設けた支持部材４４ａ及び４４ｂに接続されたアクチュエータ４２及び４３によって、回転軸３３及び３４を軸として傾斜する。したがって、伸縮脚３０及び３１とアクチュエータ４２及び４３とを動作させることでシンク２０を長手方向と長手方向に直交する方向の両方に傾斜可能であり、またシンク２０を傾斜させても汚水がシンク２０の内部に滞留しにくい。【選択図】  図１
2015062566.tif 000002
【特許請求の範囲】
【請求項１】
長手方向又は長手方向と直交する方向とのどちらか一方又は両方において傾斜可能に設けられると共に、側面板及び底面板を備え、傾斜可能な方向において前記側面板の全部又は下側の一部と前記底面板が船底形に形成されているシンクを有することを特徴とする獣医科用処置手術台。
【請求項２】
さらに、複数本の脚と、
該脚に支持された水平枠を有し、
前記シンクは、前記水平枠に対して着脱可能に支持されていることを特徴とする請求項１に記載の獣医科用処置手術台。
【請求項３】
前記シンクは、前記底面板の中央に排水口が形成されていることを特徴とする請求項１又は請求項２に記載の獣医科用処置手術台。
【請求項４】
前記シンクは、長手方向における両端部が平面視において互いに背向する略半円形状に形成されていることを特徴とする請求項１ないし請求項３のいずれか一項に記載の獣医科用処置手術台。
【請求項５】
前記シンクは、前記側面板の上端部又はその近傍部分に環状枠をさらに備え、該環状枠がシンクの内側に向かってせり出していることを特徴とする請求項１ないし請求項４のいずれか一項に記載の獣医科用処置手術台。
【請求項６】
さらに、前記脚同士の間に設けられた置き台と、
該置き台に装着可能な排水容器を有することを特徴とする請求項２ないし請求項５のいずれか一項に記載の獣医科用処置手術台。
【請求項７】
さらに、前記脚の上端部又はその近傍部分に架け渡すように設けられた梁材と、
一端部が前記梁材に直接的に又は間接的に固定され、他端部が前記水平枠の前記シンクの長手方向に平行な部分に接続されると共に、前記水平枠の接続された部分を押し上げ可能に設けられた１個又は複数個のアクチュエータを有し、
前記水平枠は、前記シンクの長手方向に対して回転可能に前記脚に支持されていることを特徴とする請求項２ないし請求項６のいずれか一項に記載の獣医科用処置手術台。
【請求項８】
前記シンクは、天板又は獣医科器械を載置可能な環状支持部材をさらに備え、該環状支持部材に天板又は獣医科器械から下方に突き出した突出体を挿入可能な開口部又は切欠部が形成されていることを特徴とする請求項１ないし請求項７のいずれか一項に記載の獣医科用処置手術台。
【請求項９】
前記水平枠は、一部が紐状物の保持具を摺動可能に支持するレールとしてなされていることを特徴とする請求項２ないし請求項８のいずれか一項に記載の獣医科用処置手術台。
【請求項１０】
さらに、中間部が略半円形状に形成され、両端部に前記水平枠に着脱可能な固定具が設けられた支持フレームを有することを特徴とする請求項２ないし請求項９のいずれか一項に記載の獣医科用処置手術台。
【請求項１１】
前記支持フレームは、前記固定具が前記中間部を回転可能に、かつ、高さ調節可能に支持していることを特徴とする請求項１０に記載の獣医科用処置手術台。
【発明の詳細な説明】
【技術分野】
【０００１】
本発明は、獣医科用処置手術台に関し、特に獣医師が動物に対して、体の洗浄や、手術、傷の手当てなどの各種処置を行うための獣医科用処置手術台に関する。
【背景技術】
【０００２】
獣医科用処置台は、動物病院において、犬や猫などの処置対象となる動物に対して血液を洗い流す、あるいは、診察又は手術、傷の手当てなど多様な医療行為を行うために利用するものである。また、獣医科用処置台では、処置、手術、又は処置や手術の準備を容易にするために、洗浄用のシンクを設け、このシンクの開口部に簀の子を載置してあるものが多い。
【０００３】
図１５は、従来技術に係る獣医科用処置台の一例を示す斜視図である。図１５において、９０は獣医科用処置台、９１は天板、９２及び９３は簀の子、９４はシャワーヘッド、９５は給水栓ハンドルである。図１５は、特開２００６−１９７８１５公報において開示されている獣医科用処置台である。獣医科用処置台９０は、シンクの開口部と中段部との両方に簀の子９２及び９３を載置することができ、逆にこれらの簀の子を取り外すこともできる。さらに、簀の子９２及び９３をシンクの開口部に載置するときには、天板９１も併せて載置することによって開口部を完全に覆うこともできる。くわえて、天板９１を取り外せば、簀の子９２及び９３を水平にスライドさせることも可能であり、簀の子を１枚だけ使うこともできる。したがって、動物の体の大きさや状況、処置の種類に応じて多様で機動的な使い方ができる上に、簀の子も開口部に対して１枚ではなく、２枚に分割した大きさなどで軽く扱いやすくなっている。また、シンクの中段部分にシャワーヘッド９４と給水栓ハンドル９５を設けており、汚水等が周囲に飛び散らないようになっている。
【０００４】
以上の従来技術のように、複数枚の天板や簀の子を自在に着脱できると、処置対象となる動物を洗浄する場合には利便性が向上するが、手術、傷の手当てなどを行う場合には以下のようなことが別の課題として浮上してくる。例えば、内視鏡を挿入する場合には、内視鏡を操作する獣医師以外の者が処置対象となる動物を一定の姿勢を保つように保定する必要がある。保定を行う獣医師や動物看護師などの腰や腕に大きな負担がかかることになる。また、処置又は手術後には、シンクの内部や枠を洗浄する必要があるが、この洗浄作業も獣医師や動物看護師などにとって大きな負担となっている。したがって、獣医科用処置台を使用する獣医師などの身体的な負担の軽減が次の大きな課題となってくる。
【先行技術文献】
【特許文献】
【０００５】
【特許文献１】特開２００６−１９７８１５公報
【発明の概要】
【発明が解決しようとする課題】
【０００６】
本発明は、上記課題を解決するために、処置対象となる動物を一定の姿勢を保つように保定を行うことが必要ない、又は、保定を行う者の身体的な負担を軽減することが可能な獣医科用処置手術台を提供することを目的とする。
【課題を解決するための手段】
【０００７】
請求項１に記載の発明は、長手方向又は長手方向と直交する方向とのどちらか一方又は両方において傾斜可能に設けられると共に、側面板及び底面板を備え、傾斜可能な方向において前記側面板の全部又は下側の一部と前記底面板が船底形に形成されているシンクを有することを特徴とする獣医科用処置手術台である。
【０００８】
請求項２に記載の発明は、請求項１に記載の発明において、さらに、複数本の脚と、該脚に支持された水平枠を有し、前記シンクは、前記水平枠に対して着脱可能に支持されていることを特徴とする獣医科用処置手術台である。
【０００９】
請求項３に記載の発明は、請求項１又は請求項２に記載の発明において、前記シンクは、前記底面板の中央に排水口が形成されていることを特徴とする獣医科用処置手術台である。
【００１０】
請求項４に記載の発明は、請求項１ないし請求項３のいずれか一項に記載の発明において、前記シンクは、長手方向における両端部が平面視において互いに背向する略半円形状に形成されていることを特徴とする獣医科用処置手術台である。
【００１１】
請求項５に記載の発明は、請求項１ないし請求項４のいずれか一項に記載の発明において、前記シンクは、前記側面板の上端部又はその近傍部分に環状枠をさらに備え、該環状枠がシンクの内側に向かってせり出していることを特徴とする獣医科用処置手術台である。
【００１２】
請求項６に記載の発明は、請求項２ないし請求項５のいずれか一項に記載の発明において、さらに、前記脚同士の間に設けられた置き台と、該置き台に装着可能な排水容器を有することを特徴とする獣医科用処置手術台である。
【００１３】
請求項７に記載の発明は、請求項２ないし請求項６のいずれか一項に記載の発明において、さらに、前記脚の上端部又はその近傍部分に架け渡すように設けられた梁材と、一端部が前記梁材に直接的に又は間接的に固定され、他端部が前記水平枠の前記シンクの長手方向に平行な部分に接続されると共に、前記水平枠の接続された部分を押し上げ可能に設けられた１個又は複数個のアクチュエータを有し、前記水平枠は、前記シンクの長手方向に対して回転可能に前記脚に支持されていることを特徴とする獣医科用処置手術台である。
【００１４】
請求項８に記載の発明は、請求項１ないし請求項７のいずれか一項に記載の発明において、前記シンクは、天板又は獣医科器械を載置可能な環状支持部材をさらに備え、該環状支持部材に天板又は獣医科器械から下方に突き出した突出体を挿入可能な開口部又は切欠部が形成されていることを特徴とする獣医科用処置手術台である。
【００１５】
請求項９に記載の発明は、請求項２ないし請求項８のいずれか一項に記載の発明において、前記水平枠は、一部が紐状物の保持具を摺動可能に支持するレールとしてなされていることを特徴とする獣医科用処置手術台である。
【００１６】
請求項１０に記載の発明は、請求項２ないし請求項９のいずれか一項に記載の発明において、さらに、中間部が略半円形状に形成され、両端部に前記水平枠に着脱可能な固定具が設けられた支持フレームを有することを特徴とする獣医科用処置手術台である。
【００１７】
請求項１１に記載の発明は、請求項１０に記載の発明において、前記支持フレームは、前記固定具が前記中間部を回転可能に、かつ、高さ調節可能に支持していることを特徴とする獣医科用処置手術台である。
【発明の効果】
【００１８】
請求項１に記載の発明によれば、長手方向又は長手方向と直交する方向とのどちらか一方又は両方において傾斜するので、保定を行う獣医師や動物看護師などの身体的負担を軽減することができる。また、傾斜可能な方向において側面板の全部又は下側の一部と底面板が船底形であるので、シンクを傾斜させたときに、側面板と底面板との間の隅部分に汚水が滞留し、排出できなくなるという副次的な課題の発生を防止できる。
【００１９】
請求項２に記載の発明によれば、水平枠がシンクを支持しているので、シンクに加わる加重の一部を水平枠で支持することができ、シンクを軽量化できる。くわえて、水平枠からシンクを取り外すことができるので、シンクの洗浄作業の負担が軽減される。
【００２０】
請求項３に記載の発明によれば、排水口がシンクの長手方向の両端部から等距離となる位置にあるので、一方の端部側に設けているときよりも排水に掛かる時間を短縮できる。排水を終える前にシンクを傾斜させると汚水の一部がシンクの内部空間に滞留するので、排水がほぼ完了するまではシンクを傾斜させずに待機する必要があるが、排水口が底面板の中央にあると、この待機時間を最小にすることができる。
【００２１】
請求項４に記載の発明によれば、シンクの両端部を平面視において略半円形状としたので、シンクを長手方向及び長手方向と直交する方向に傾斜させているときに、長手方向に平行な側面板と長手方向に直交する向きの側面板との境界となる隅部分に汚水が滞留し、排出できなくなるという副次的な課題の発生を防止できる。両端部を略半円形状としたことで、獣医師や動物看護師など診察や手術などの動作がシンクの角部によって阻害されることがない。
【００２２】
請求項５に記載の発明によれば、シンクを傾斜したときに汚水がシンクの開口部からしたたり落ちることを環状枠によって阻止するので、シンクを大きく傾斜させることができる。
【００２３】
請求項６に記載の発明によれば、排水容器に汚水を貯留できるので、排水設備がない部屋などに移動して使用することができ、機動的な診察や処置が可能となる。
【００２４】
請求項７に記載の発明によれば、アクチュエータをシンクの側面板に直接接続して押し上げるのではなく、水平枠を介して押し上げるので、シンクの側面板の肉厚をアクチュエータからの押圧力を考慮することなく決定できる。ひいては、側面板の肉厚を薄くでき、又は、補強リブ省略することができるので、シンクの軽量化が可能となる。また、梁材を脚の上端部又はその近傍部分に架け渡すように設けるので、梁材の下方を何もない空間とすることが可能となる。したがって、獣医師や動物看護師などがシンクの下方に足を踏み出して保定や処置などを行うことができ、身体的負担を軽減できる。
【００２５】
請求項８に記載の発明によれば、天板又は獣医科器械をシンク上に載置したままの状態でシンクを傾斜させても天板又は獣医科器械がずれ動く又は落下することを防止できる。ひいては、シンクの傾斜中に天板又は獣医科器械を手で支持しておく必要がなく、獣医師や動物看護師などの身体的負担を軽減できる。
【００２６】
請求項９に記載の発明によれば、水平枠に取り付けた保持具によって保定ロープや、吸引チューブ、電源コートなどの紐状物を保持できるので、診察中や手術中にこれらのものを手で支持したり、結束したりする必要がなく、獣医師や動物看護師などの身体的負担を軽減できる。
【００２７】
請求項１０に記載の発明によれば、獣医科用処置手術台上においてサージカルドレープを保持することが容易になる上に、必要ない場合には支持フレームを直ちに取り外すことが可能となる。また、中間部を半円形形状にしているので、処置対象となる動物の頭部が左右側方上方などいずれの方向を向いていても、サージカルドレープと頭部との間に一定の高さの空間を確保することができる。
【００２８】
請求項１１に記載の発明によれば、処置対象となる動物の体の大きさや保定台の有無に応じて動物の頭部側のサージカルドレープの高さ位置を調節できる。ひいては、高さが異なる支持フレームを複数個用意し、交換しながら使用する作業負担が必要なくなる。
【図面の簡単な説明】
【００２９】
【図１】実施の形態に係る獣医科用処置手術台を示す正面図である。
【図２】実施の形態に係る獣医科用処置手術台を示す右側面図である。
【図３】実施の形態に係る獣医科用処置手術台を示す平面図である。
【図４】シンクを表した図であり、（ａ）は天板を取り外した状態を示す平面図、（ｂ）は右側面図、（ｃ）はＡ−Ａ線端面図である。
【図５】シンクを表した図であり、（ａ）はシンクを前方に傾斜させた状態を示す部分側面図、（ｂ）はシンクを後方に傾斜させた状態を示す部分側面図である。
【図６】シンクを示す図であり、（ａ）は右側の伸縮脚を伸張させた状態を示す正面図、（ｂ）は左側の伸縮脚を伸張させた状態を示す正面図である。
【図７】シンクを取り外した状態を示す正面図である。
【図８】シンクを取り外した状態を示す右側面図である。
【図９】中央天板を表した図であり、（ａ）は中央天板の背面図、（ｂ）は中央天板の右側面図、（ｃ）は中央天板の平面図である。
【図１０】端部天板を表した図であり、（ａ）は端部天板の背面図、（ｂ）は端部天板の右側面図、（ｃ）は端部天板の平面図である。
【図１１】支持フレームを表した図であり、（ａ）は支持フレームの正面図、（ｂ）は支持フレームの左側面図、（ｃ）は支持フレームの平面図である。
【図１２】支持フレームを回転させた状態を示す部分正面図である。
【図１３】支持フレームの使用状態を示す図であり、（ａ）は支持フレームを下降させた状態を示す部分正面図、（ｂ）は支持フレームがサージカルドレープを支持している状態を示す部分正面図である。
【図１４】環状支持部材の変形例を表した図であり、（ａ）は第１の変形例を示す部分平面図、（ｂ）は第２の変形例を示す部分平面図である。
【図１５】従来技術に係る獣医科用処置手術台の一例を示す斜視図である。
【発明を実施するための形態】
【００３０】
図１は、実施の形態に係る獣医科用処置手術台を示す正面図である。図１において、１０は獣医科用処置手術台、２０はシンク、２１は環状パイプ枠、２２は側面板、２７は矩形水平枠、２７ａ及び２７ｂは長辺部、２８ａ及び２８ｂは支柱材、２９ａ及び２９ｂはシンク固定ねじ、３０及び３１は伸縮脚、３２は梁材、３３及び３４は回転軸、３５は載置板、３５ａは容器保持開口部、３６は脚接続部材、３７は脚接続部材、３８及び３９は枠部材、４０及び４１は伸縮機構、４２及び４３はアクチュエータ、４４ａ及び４４ｂは支持部材、４５ａ及び４５ｂはキャスタ、４６は排水容器、５０は支持フレーム、５１は中間部材、５３ａはスリット、５３は端部部材、５４は固定クランプ、５５は角度・高さ調整クランプ、５９ａ及び５９ｂはロープ固定具である。また、図２は、実施の形態に係る獣医科用処置手術台を示す右側面図である。図２において、２７ｃ及び２７ｄは短辺部、２８ｃ及び２８ｄは支柱材、４５ｃ及び４５ｄはキャスタ、５５ａはねじ、５５６は端部部材、５７は固定クランプ、５８ａはねじ、５８は角度・高さ調整クランプであり、その他の符号は図１と同じものを示す。さらに、図３は、実施の形態に係る獣医科用処置手術台を示す平面図である。図３において、２１ａ及び２１ｂは長軸部、２１ｃ及び２１ｄは端部、６０は中央天板、６３及び６６は端部天板であり、その他の符号は図１及び図２と同じものを示す。なお、図１、図２及び図３においては、排水チューブや電源コードなど、本発明の発明を説明する上で必要性が薄い細部の構成を省略した。
【００３１】
この実施の形態に係る獣医科用処置手術台１０は、従来技術に係る獣医科用処置台が動物の洗浄に適している一方、手術台としての利用に適していないことに対し、手術台としても十分に利用できる、処置台と手術台を兼ねたものとしている。以下に、本発明の実施の形態に係る獣医科用処置手術台の全体構成の概略を具体的に説明する。また、図１及び図２に示すように、図示していないコントローラによって、選択的に伸縮可能な伸縮脚３０と伸縮脚３１との２本の脚の上端部に梁材３２を掛け渡している。また、伸縮脚３０と伸縮脚３１との下端部には、獣医科用処置手術台１０の移動を容易にするために、キャスタ４５ａ及び４５ｃとキャスタ４５ｂ及び４５ｄが設けられている。さらに、伸縮脚３０と伸縮脚３１との下端部近傍には、脚接続部材３６と脚接続部材３７とをそれぞれ接続しており、さらに脚接続部材３６と脚接続部材３７とは枠部材３８及び３９とによって互いに接続されている。このように、伸縮脚３０と伸縮脚３１との間に、梁材３２と、脚接続部材３６及び３７、枠部材３８及び３９を設けた構造は、梁材３２の上に設ける矩形水平枠２７、シンク２０等を支持している。なお、伸縮脚３０と伸縮脚３１に代えて、それぞれ２本ずつ、合計４本の伸縮脚を設け、２本ずつ２組の脚が同調して伸縮する構成にしてもよい。くわえて、梁材３２の両端部には、回転軸３３と回転軸３４とが設けられている。回転軸３３と回転軸３４とは、矩形水平枠２７に接続されており、矩形水平枠２７を長手方向に対して回転可能な状態で支持している。
【００３２】
シンク２０は、矩形水平枠２７に対して固定されており、矩形水平枠２７と共に回転する。矩形水平枠２７の長手方向と平行な部分には、選択的に伸縮可能なアクチュエータ４２の伸縮機構４０と、アクチュエータ４３の伸縮機構４１がそれぞれ接続されており、伸縮機構４０及び４１が矩形水平枠２７を押し上げることによって、矩形水平枠２７及びシンク２０を傾斜させる。したがって、獣医科用処置手術台１０は、伸縮脚３０と伸縮脚３１とを選択的に伸縮させることによって、シンク２０をその長手方向において傾斜させることができ、図示していないコントローラによってアクチュエータ４２とアクチュエータ４３とを選択的に駆動させることで、シンク２０をその長手方向と直交する方向において傾斜させることができる。なお、この実施の形態に係る獣医科用処置手術台１０では、シンク２０の長手方向と、長手方向と直交する方向との両方向に対して傾斜するように構成されているが、長手方向と、長手方向と直交する方向とのいずれか一方のみ傾斜するように構成しても、保定を行うことが必要ない、又は、保定を行う者の身体的な負担を軽減する効果をある程度得られる。ただし、身体的負担の軽減の観点からは、両方向に対して傾斜する構成が最も望ましい。
【００３３】
また、シンク２０は、メンテナンス性を向上するために、矩形水平枠２７に対して着脱可能に設けられている。すなわち、シンク２０の環状パイプ枠２１に設けられた支柱材２８ａ、２８ｂ、２８ｃ及び２８ｄが矩形水平枠２７に対してねじ止めされており、ねじを緩めることによって、支柱材２８ａ、２８ｂ、２８ｃ及び２８ｄを矩形水平枠２７から取り外すことが可能である。さらに、図３に示すように、シンク２０の開口部には、中央天板６０と端部天板６３及び６６が載置されている。中央天板６０と端部天板６３及び６６は、処置や診察の対象となる動物を載置するためのものであり、また排水用のスリットを多数設けて簀の子としても使用できるように構成されている。また、中央天板６０と端部天板６３及び６６の一部又は全部を取り外し、取り外した場所に保定器などを載置して使用することも可能である。さらに、シンク２０は、長手方向における両端部を平面視したとき、つまり真上から見下ろしたときに、互いに背向するような略半円形状に形成されている。
【００３４】
続けて、シンクなどの本発明の実施の形態に係る獣医科用処置手術台の主な構成品について個別に詳細に説明する。図４は、シンクを表した図であり、（ａ）は天板を取り外した状態を示す平面図、（ｂ）は右側面図、（ｃ）はＡ−Ａ線端面図である。図４において、２３ａは長軸傾斜面、２３ａａは上端部、２３ｂは長軸傾斜面、２３ｃ及び２３ｄは端部傾斜面、２４は底面板、２５は排水口、２６は環状支持部材、２６ａはスリット、８０は中心軸であり、その他の符号は図２と同じものを示す。
【００３５】
シンク２０は、図４（ａ）及び（ｂ）から分かるように、非常に浅く形成されており、底面板２４が図３に示した中央天板６０と端部天板６３及び６６との間隙が非常に狭い物となっている。シンク２０は、槽本体となる部分が側面板２２と底面板２４とによって形成されており、また側面板２２と底面板２４が船底形に形成されている。底面板２４は水平に近いが、排水口２５に向かって僅かな下り勾配となっている。ここで、本発明において、船底形とは、側面板は、傾斜可能な方向においてその全部又は下側の一部が垂直でなく、底面板に向かって比較的緩やかに下って行く傾斜面又は曲面として形成され、底面板は、側面板に連続して形成されると共に排水口に向かって側面板よりもさらに緩やかに下って行く傾斜面又は曲面として形成されているものとする。したがって、本発明のシンクにおいては、その内側面全体、又は、側面板の上側の一部を除く内周面において、直角となる隅部が形成されないことになる。以上のように形成しているので、シンク２０の中心軸８０に直交する断面形状は、左右対称の浅い船底形を呈している。なお、この実施の形態に係る獣医科用処置手術台１０では、側面板２２の長軸傾斜面２３ａ及び２３ｂと、端部傾斜面２３ｃ及び２３ｄとが底面板２４に対して約２０度の上り勾配となるように形成されているが、側面板２２の傾斜角度はこれに限られるものではない。
【００３６】
以上のように、シンク２０を非常に浅い船底形に形成したことによって、シンク２０を軽量化することができ、シンク２０の取り外しや、取り付け、運搬、洗浄等の作業が容易になる。また、シンクを傾斜させたときに、側面板と底面板との間の隅部分に汚水が滞留し、排出できなくなるという副次的な課題の発生を防止できる。これは言い換えると、例えばシンクが深く、かつ、直方体形状に形成されていると、例えばシンクを傾斜させているときに、側面板と底面板との境界となる隅部分に少なくない量の汚水が滞留したままとなり、シンクをいったん水平状態に戻さないと排出できない状態となるが、本発明では汚水が滞留したとしても非常に僅かな量となる。なお、側面板の開口部近傍の部分は、垂直面とすることも可能であるが、前述の効果を発揮させる観点からは、側面板全体を傾斜面とすることが望ましい。
【００３７】
また、側面板２２は、平面視したときに、全体として陸上トラックのような略長円形状を呈するように形成されている。シンク２０を非常に浅く形成し、かつ、略長円形状を呈するように形成したことによって、長軸傾斜面２３ａ及び２３ｂと、端部傾斜面２３ｃ及び２３ｄとの境界となる隅部分への汚水の滞留を大幅に減少できる効果がある。また、両端部を略円形状としたことで、獣医師や動物看護師など診察や手術などの動作がシンクの角部によって阻害されることがない。なお、側面板２２は、前述の効果を発揮させる観点や製造の容易性などの観点から、平面視したときに略長円形状を呈するように形成されていることが最も望ましいが、例えば略楕円形状など略長円形状に近い別形状としてもある程度の効果を得ることができるので、略楕円形状などに形成してもよい。
【００３８】
シンク２０の側面板２２の上端部には、補強材として、丸パイプ材を加工して略長円形状を呈するように形成した環状パイプ枠２１を設けている。環状パイプ枠２１は、図４（ｃ）に示すように、長軸部２１ａがシンク２０の内側、すなわち側面板２２の上端部２３ａａよりも内側面側に向かってせり出している。さらに、図４（ｃ）に表していていない長軸部２１ｂ、端部２１ｃ及び２１ｄにおいても同様に、シンク２０の内側に向かってせり出している。このように形成したことによって、シンク２０を傾斜させたときに、シンク２０内部の汚水を環状パイプ枠２１がせき止めることによって、側面板２２の上端部から汚水が床面などにしたたり落ちることを防止できる。なお、環状パイプ枠２１は、補強材としての観点や加工の容易性から丸パイプ材を加工して形成することが望ましいが、環状枠として形成できるものであれば、角パイプや、ステンレス鋼板を略長円形状に加工したものを使用することも可能である。
【００３９】
また、シンク２０の底面板２４の中央に排水口２５を形成している。排水口２５がシンク２０の長手方向の両端部から等距離となる位置にあるので、一方の端部側に設けているときよりも排水に掛かる時間を短縮できる。したがって、排水を終える前にシンクを傾斜させると汚水の一部がシンクの内部空間に滞留するので、排水がほぼ完了するまではシンク２０を傾斜させずに待機する必要があるが、排水口が底面板の中央にあると、この待機時間を最小にすることができる。さらに、シンク２０は、環状パイプ枠２１の内側に環状支持部材２６を形成している。環状支持部材２６は、中央天板６０と端部天板６３及び６６や獣医科器械を支持するものである。図４（ｃ）から分かるように、環状パイプ枠２１によって片持ち状態で支持されており、いわゆるブラケットと同様に作用する。また、環状支持部材２６は、環状パイプ枠２１側にほぼ同じ長さのスリット２６ａが２８カ所に形成されている。スリット２６ａは、後述する中央天板６０と端部天板６３及び６６の突出部や、獣医科器械から下方に突き出した突出部を挿入可能に形成されている。スリット２６ａに中央天板６０と端部天板６３及び６６や獣医科器械の突出部等を挿入することによって、シンク２０を傾斜させたときにこれらのものがずれ動いたり、シンク２０の上から落下したりすることを防止できる。
【００４０】
図６は、シンクを示す図であり、（ａ）は右側の伸縮脚を伸張させた状態を示す正面図、（ｂ）は左側の伸縮脚を伸張させた状態を示す正面図である。図６において、３０ａ及び３１ａは伸縮部であり、その他の符号は図１と同じものを示す。
【００４１】
伸縮脚３０と伸縮脚３１とは、シンク２０の長手方向に配列されており、それぞれ薄い矩形箱状を呈するように形成されている。伸縮脚３０と伸縮脚３１との下端部には、図２及び図６に示すように、脚接続部材３６と脚接続部材３７とがそれぞれ接続されている。脚接続部材３６と脚接続部材３７とには、獣医科用処置手術台１０を自在に移動できるように、キャスタ４５ａ及び４５ｃと、キャスタ４５ｂ及び４５ｄとがそれぞれ設けられている。また、伸縮脚３０と伸縮脚３１とは、内部に伸縮部３０ａと伸縮部３１ａとが設けられており、同じく内部に設けられた図示していないアクチュエータによって自在に伸縮できるように構成されている。伸縮部３０ａと伸縮部３１ａとの上端部には、梁材３２が接続されている。また、伸縮部３０ａと伸縮部３１ａとの上端部は梁材３２の内部に設けた図示していない回転軸に対して接続されている。したがって、梁材３２は、伸縮部３０ａを上昇させると、図４（ｂ）に示すように、左に向かって上り勾配となるように傾斜し、伸縮部３１ａを上昇させると、図４（ａ）に示すように、右に向かって上り勾配となるように傾斜する。
【００４２】
また、脚接続部材３６と脚接続部材３７とは、枠部材３８と枠部材３９とによって連結されている。枠部材３８と枠部材３９とは、シンク２０の長手方向に対して平行となるように設けられている。さらに、図６において、手前側に枠部材３８が配置され、奥側に枠部材３９が配置されており、脚接続部材３６、脚接続部材３７、枠部材３８及び枠部材３９によって矩形の枠体を構成している。この矩形の枠体の内部には載置板３５が設けられており、吸引器などを載置することが可能である。さらに、図１及び図２に戻って説明する。載置板３５には、略円形状の容器保持開口部３５ａが形成されており、容器保持開口部３５ａに排水容器４６を挿入した状態で配置する。排水容器４６は、シンク２０の排水口２５に接続された図示していない排水チューブの下端部が挿入されるものであり、シンク２０から排出された汚水を貯留するものである。したがって、獣医科用処置手術台１０を排水設備のない部屋などに移動して移用することが可能であり、機動的な利用を可能にしている。また、図示していないが、排水口２５の直下には、排水チューブが取り付けられる短い排水管が設けられている。なお、この配水管に閉止弁を設けると、排水容器４６が汚水で満たされたときに、排水容器４６を取り外して排水を捨てる際に、汚水の排出を一時的に停止できるので、この閉止弁を設けることが望ましい。
【００４３】
図５は、シンクを表した図であり、（ａ）はシンクを前方に傾斜させた状態を示す部分側面図、（ｂ）はシンクを後方に傾斜させた状態を示す部分側面図である。図５において用いた符号は、すべて図２と同じものを示す。また、図７は、シンクを取り外した状態を示す正面図である。図７において用いた符号は、すべて図１と同じものを示す。さらに、図８は、シンクを取り外した状態を示す右側面図である。図８において、２９ｃ及び２９ｄはシンク固定ねじであり、その他の符号は図２と同じものを示す。
【００４４】
図１及び図２に示すように、梁材３２は、前述のように、伸縮部３０ａと伸縮部３１ａとの上端部に図示していない回転軸を介して接続されている。また、梁材３２は、中空の箱状に形成されており、内部に各アクチュエータを駆動させるための図示していない回路基板などを設けている。このように、梁材３２を伸縮脚３０及び３１の上端部又はその近傍部分に架け渡すように設けるので、梁材３２の下方に何もない空間を確保することが可能となる。したがって、獣医師や動物看護師などがシンク２０の下方に足を踏み出して保定や処置などを行うことができ、身体的負担を軽減できる。また、排水容器４６等を載置する空間も同時に確保することができる。
【００４５】
さらに、梁材３２の中央には、アクチュエータ４２の伸縮機構４０及びアクチュエータ４３の伸縮機構４１の下端部を支持するための支持部材４４ａ及び４４ｂを設けている。くわえて、梁材３２の両端部には、回転軸３３及び３４が設けられている。回転軸３３と回転軸３４は、矩形水平枠２７の短辺部２７ｄと短辺部２７ｃとに接続されており、矩形水平枠２７を長手方向に対して回転可能、つまり、シンク２０の長手方向を中心軸として回転可能にしている。矩形水平枠２７は、シンク２０の長手方向に平行な長辺部２７ａ及び２７ｂと、長手方向に直交する短辺部２７ｃ及び２７ｄとからなる矩形の枠であり、通常は水平状態に保たれている。アクチュエータ４２を駆動すると、伸縮機構４０が図１において手前側にある矩形水平枠２７の長辺部２７ａを上方に押し上げて、図５（ｂ）に示す状態となる。また、アクチュエータ４３を駆動すると、伸縮機構４１が図１において奥側にある矩形水平枠２７の長辺部２７ｂを上方に押し上げて、図５（ａ）に示す状態となる。以上のように、アクチュエータ４２及び４３をシンク２０の側面板２２に直接接続して押し上げるのではなく、矩形水平枠２７を介して押し上げるので、シンク２０の側面板２２の肉厚をアクチュエータ４２及び４３からの押圧力を考慮することなく決定できる。ひいては、側面板２２の肉厚を薄くできるので、あるいは、シンク２０の側面板２２に補強リブを形成する必要がないので、シンク２０の軽量化が可能となる。なお、この実施の形態に係る獣医科用処置手術台１０では、アクチュエータ４２及び４３は電動式のものを想定しているが、エアシリンダや油圧シリンダなど他方式のものを採用してもよい。
【００４６】
また、矩形水平枠２７は、図１及び図２に示すように、シンク２０を支持する支持部材であると共に、かつ、ロープ固定具５９ａ及び５９ｂなどの固定具や、図示してないチューブ保持具などを摺動可能な状態で支持するレール部材を兼ねている。したがって、保定ロープや、吸引チューブ、電源コートなどの紐状物を保持できるので、診察中や手術中にこれらのものを手で支持したり、結束したりする必要がなく、獣医師や動物看護師などの身体的負担を軽減できる。さらに、図７及び図８に示すように、矩形水平枠２７の長辺部２７ａと長辺部２７ｂとには、シンク固定ねじ２９ａ及び２９ｂとシンク固定ねじ２９ｃ及び２９ｄとが設けられている。シンク固定ねじ２９ａ、２９ｂ、２９ｃ及び２９ｄは、支柱材２８ａ、２８ｂ、２８ｃ及び２８ｄを矩形水平枠２７に固定するものであり、これらのシンク固定ねじを緩めることによって、シンク２０を上方に持ち上げて矩形水平枠２７から離脱することができる。従来技術においては、シンクを着脱することができなかったのでシンクの洗浄などが行いにくく、作業する者の負担が大きかったが、この実施の形態に係る獣医科用処置手術台１０では、シンク２０を取り外して洗浄を行うことを可能としたので、シンクの洗浄作業の負担が軽減される。さらにシンク２０の乾燥など容易になる。さらに、この実施の形態に係る獣医科用処置手術台１０では、前述のように梁材３２の内部に図示していない回路基板などを設けているが、シンク２０を取り外すと、梁材３２の内部に設けたものに対するメンテナンスを容易に行えるという利点もある。
【００４７】
なお、シンク２０を矩形水平枠２７に対して着脱する必要がない場合には、梁材の両端部から立ち上がる２本の支柱の上端部に回転軸をそれぞれ設け、シンクの環状パイプ枠にこれらの回転軸に接続する支持体を設け、矩形水平枠はシンクに固定された状態で吊り下げられた構成とすることも可能である。この場合は、支持体から環状パイプ枠を着脱可能とすれば、シンクを分離した状態でシンクの洗浄等を行うことも可能である。ただし、水平枠も一緒に着脱するので、メンテナンス作業の負担など点からこの実施の形態に係る獣医科用処置手術台の構成の方が望ましいと言える。
【００４８】
図９は、中央天板を表した図であり、（ａ）は中央天板の背面図、（ｂ）は中央天板の右側面図、（ｃ）は中央天板の平面図である。図９において、６２ａｂは抜け止め部分、６２ｂ、６２ｃ、６２ｄ、６２ｅ及び６２ｆは突出部であり、その他の符号は図３と同じものを示す。また、図１０は、端部天板を表した図であり、（ａ）は端部天板の背面図、（ｂ）は端部天板の右側面図、（ｃ）は端部天板の平面図である。図１０において、６０ａはスリット、６１は中央領域、６２ａは突出部、６２ａａは抜け止め部分、６３ａはスリット、６３ｂは切欠部、６４は中央領域、６５ａは突出部、６５ａａ及び６５ａｂは抜け止め部分、６５ｂ及び６５ｃは突出部、６６ａはスリット、６６ｂは切欠部、６７は中央領域、６８ａは突出部、６８ａａ及び６８ａｂは抜け止め部分、６８ｂ及び６８ｃは突出部であり、その他の符号は図３と同じものを示す。
【００４９】
中央天板６０と端部天板６３及び６６は、シンク２０の開口部を閉止し、シンク２０上での作業を容易にするために設けられている。中央天板６０は、シンク２０の長手方向において中央となる位置に載置される天板である。図９（ａ）に示すように、突出部６２ａ、６２ｂ、６２ｄ及び６２ｅから離れた中央領域６１に多数のスリット６０ａが形成されている。したがって、中央天板６０は、処置や診察の対象となる動物や、処置や診察に必要な獣医科用器具を載置する板であると共に、動物の出血などを洗い流すときに、その汚水をシンク２０の内部に流し込む簀の子としても機能する。また、図９（ｂ）に示すように、中央天板６０は、シンク２０の開口部を閉止した状態において下面となる側の縁辺に、突出部６２ａ、６２ｂ、６２ｃ、６２ｄ、６２ｅ及び６２ｆが形成されている。突出部６２ｃ及び６２ｆは、中央天板６０をシンク２０上に載置したときに、シンク２０の長手方向と直交する縁辺の大部分の領域から垂直下方に突出している。突出部６２ｃ及び６２ｆは、後述する突出部６２ａ、６２ｂ、６２ｄ及び６２ｅと異なり、端部天板６３又は６６との間隙に細いワイヤやチューブが入り込んだときに、中央天板６０の剛性を確保するために設けたものであり、ズレ止めとしては作用しない。
【００５０】
また、突出部６２ａ、６２ｂ、６２ｄ及び６２ｅは、中央天板６０をシンク２０上に載置したときに、シンク２０の長手方向と平行となる縁辺から垂直下方に突出している。その長さは、環状支持部材２６のスリット２６ａの長さよりもやや短くなるように設定されている。さらに、突出部６２ａ、６２ｂ、６２ｄ及び６２ｅは、環状支持部材２６のシンク２０の長手方向と平行な部分のスリット２６ａにすべて同時に挿入できるように配置されている。また、中央天板６０をシンク２０上に載置するときには、突出部６２ａ及び６２ｂを設けた縁辺と突出部６２ｄ及び６２ｅを設けた縁辺とが環状支持部材２６に支持されるように載置する。さらに、図９（ｃ）に示すように、突出部６２ｂの両端部の先端側の領域から抜け止め部分６２ａａと抜け止め部分６２ａｂとが僅かに張り出している。抜け止め部分６２ａａと抜け止め部分６２ａｂとは、シンク２０を長手方向において大きく傾斜させたときに、スリット２６ａの縁辺に掛かることによって突出部６２ｂがスリット２６ａから離脱することを防止するために形成されており、突出部６２ａ、６２ｄ及び６２ｅにおいても、同じ形状の抜け止め部分が形成されている。したがって、中央天板６０をときに、突出部６２ａ、６２ｂ、６２ｄ及び６２ｅがいずれかのスリット２６ａの内部に挿入されていないと正常に載置することができない。言い換えると、中央天板６０をシンク２０上に載置したときには、突出部６２ａ、６２ｂ、６２ｄ及び６２ｅのすべてがスリット２６ａの内部に挿入された状態となるので、シンク２０をその長手方向と長手方向と直交する方向とのいずれに傾けても、中央天板６０がずれ動くことがなく、またずれ動いたとしても非常に僅かな距離であり、処置や診察に影響を及ぼすことがない。さらに、シンク２０を長手方向において大きく傾斜させても、中央天板６０がシンク２０の開口部から脱落することがない。
【００５１】
端部天板６３と端部天板６６とは、図１０（ａ）に示すように、同一形状に形成されている。また、切欠部６３ｂと切欠部６６ｂを形成している側を除いて、縁辺から離れた中央領域６４と中央領域６７とに、多数のスリット６３ａとスリット６６ａとが形成されている。したがって、中央天板６０と同様に、処置や診察の対象となる動物や、処置や診察に必要な獣医科用器具を載置する板であると共に、動物の出血などを洗い流すときに、その汚水をシンク２０の内部に流し込む簀の子としても機能する。シンク２０に対しては、これらの間に中央天板６０を介在させた状態で、かつ、略半円形状に形成された側が背向するように載置される。さらに、端部天板６３と端部天板６６とは、シンク２０上に載置したときに、シンク２０の長手方向と直交する縁辺、つまり中央天板６０と隣接する側の大部分の領域から突出部６５ｃと突出部６８ｃとが垂直下方に突出している。突出部６５ｃと突出部６８ｃとも、中央天板６０の突出部６２ｃ及び６２ｆと同様に、端部天板６３と端部天板６６との剛性を確保するために設けている。また、端部天板６３と端部天板６６との円弧状に形成された縁辺の中央に、切欠部６３ｂと切欠部６６ｂとを形成している。切欠部６３ｂと切欠部６６ｂとは、これらに指を掛けて端部天板６３と端部天板６６とを上方に持ち上げることによって端部天板６３と端部天板６６とを簡単に取り外せるようにするために設けている。
【００５２】
また、端部天板６３と端部天板６６とは、図１０（ａ）及び（ｃ）に示すように、これらをシンク２０上に載置したときに、シンク２０の長手方向と平行となる縁辺から突出部６５ａ及び６５ｂと、突出部６８ａ及び６８ｂが垂直下方に突出している。その長さは、環状支持部材２６のスリット２６ａの長さよりもやや短くなるように設定されている。さらに、突出部６５ａ及び６５ｂと、突出部６８ａ及び６８ｂは、環状支持部材２６のシンク２０の長手方向と平行な部分のスリット２６ａにすべて同時に挿入できるようにそれぞれ配置されている。さらに、図１０（ｃ）に示すように、突出部６５ａと突出部６８ａとの両端部の先端側の領域から、抜け止め部分６５ａａ及び６５ａｂと抜け止め部分６８ａａ及び６８ａｂが僅かに張り出している。これらの抜け止め部分も、中央天板６０の抜け止め部分６２ａａ及び６２ａｂと同様に、突出部６５ａ突出部６８ａがスリット２６ａから離脱することを防止するために形成されており、突出部６５ｂと突出部６８ｂにおいても、同じ形状の抜け止め部分が形成されている。以上のように、端部天板６３と端部天板６６もと中央天板６０同様に、シンク２０をその長手方向と長手方向と直交する方向とのいずれに傾けてもずれ動くことがなく、またずれ動いたとしても非常に僅かな距離であり、処置や診察に影響を及ぼすことがない。さらに、シンク２０を長手方向において大きく傾斜させても、端部天板６３又は端部天板６６がシンク２０の開口部から脱落することを防止することができる。
【００５３】
図１４は、環状支持部材の変形例を表した図であり、（ａ）は第１の変形例を示す部分平面図、（ｂ）は第２の変形例を示す部分平面図である。図１４において、７０は環状パイプ枠、７１は環状支持部材、７２は挿入スペース、７３は保持部、７４は突出部、７５は環状パイプ枠、７６は環状支持部材、７７はスリット、７８は円形開口部である。
【００５４】
ところで、図３に示すように、中央天板６０と端部天板６３及び６６は、スリット６０ａとスリット６３ａ及び６６ａとが中央領域に偏って形成されている。スリットを縁辺に近い領域に設けないことによって、棒状の細い獣医科器具がスリットに入り込んで、シンク２０の内部に落下することを防止できると言う利点がある。また、前述のように、中央天板６０と端部天板６３及び６６の下面に突出部を形成しているので、中央天板６０と端部天板６３及び６６とが必ず正しい位置に載置されるという利点もある。なお、環状支持部材２６の構成は、以上説明したのものに限られるものではなく、例えば図１４（ａ）に示すようなものとしてもよい。すなわち、環状パイプ枠７０の内側に設けた環状支持部材７１に対して内側に向かって突出し、かつ、先端側が左右に膨出している保持部７３を所定間隔で形成する。保持部７３の間のスペースは、天板の突出部７４を挿入するための挿入スペース７２とすれば、スリット２６ａと同様に機能する。また、図１４（ｂ）に示すように、環状パイプ枠７５の内側に設けた環状支持部材７６に対して、スリット７７と円形開口部７８に示すような異なる形状の開口部を設け、さらに獣医科用器械の底面にそれらの開口部に対応するような突出部を設ければ、各種の獣医科用器械においても、シンク２０上をずれ動く、または、シンク２０の開口部から脱落することを防止できる。
【００５５】
図１１は、支持フレームを表した図であり、（ａ）は支持フレームの正面図、（ｂ）は支持フレームの左側面図、（ｃ）は支持フレームの平面図である。図１１において、５２は頂部、５４ａ及び５７ａはねじ、５６ａはスリットであり、その他の符号は図２と同じものを示す。また、図１２は、支持フレームを回転させた状態を示す部分正面図である。図１２において用いた符号は、すべて図２と同じものを示す。図１３は、支持フレームの使用状態を示す図であり、（ａ）は支持フレームを下降させた状態を示す部分正面図、（ｂ）は支持フレームがサージカルドレープを支持している状態を示す部分正面図である。図１３において、８１はサージカルドレープであり、その他の符号は図２と同じものを示す。
【００５６】
支持フレーム５０は、図１１に示すように、上方に向かって膨出する略半円形状の中間部材５１の両端部に端部部材５３と端部部材５６とを接続している。このように、中間部材５１を略半円形状にすると、処置対象となる動物の動物を仰向け、右向き又は左向き、あるいはこれらの中間的方向のいずれに向けていても、動物の頭部とサージカルドレープとの間に適切な空間を確保することができるという大きな利点がある。また、端部部材５３の下端部には、固定クランプ５４と、固定クランプ５４と一体的に角度・高さ調整クランプ５５と設けている。端部部材５６も同様に、固定クランプ５７と、固定クランプ５７と一体的に角度・高さ調整クランプ５８とを設けている。固定クランプ５４と固定クランプ５７とは、ねじ５４ａとねじ５７ａとによって矩形水平枠２７の長辺部２７ａと長辺部２７ｂとにそれぞれ固定される。また、長辺部２７ａと長辺部２７ｂとのほぼ全体にわたって固定可能であるので、処置対象となる動物の大きさや、処置の種類などに応じて固定位置を適宜変更できる利点がある。また、角度・高さ調整クランプ５５と角度・高さ調整クランプ５８とは、これらのクランプを緩めることによって、図１２に示すように、支持フレーム５０の向きを適宜変更できるので、獣医師の処置動作を妨げない。くわえて、図１３（ａ）に示すように、これらのクランプを緩めると、端部部材５３のスリット５３ａ及び端部部材５６のスリット５６ａの上端部まで至るようにこれらのクランプを移動させる、つまり、中間部材５１を下降させて頂部５２をシンク２０に接近させることができる。したがって、保定台が薄型の場合や、処置対象となる動物が小型である場合には、図１３（ｂ）に示すように、中間部材５１を下降させてから、中間部材５１にサージカルドレープ８１を被せれば、動物の頭部とサージカルドレープとの間に過剰な空間ができない。
【００５７】
以上のように、獣医科用処置手術台１０は、２方向に傾斜するので、一般的な手術台と同様に利用することができ、獣医師や動物看護師などの身体的負担を軽減することができる。また、シンク２０を船底形に形成しているので、汚水が排水口２５に向かって自然に、かつ、速やかに流れ込むようになる。したがって、シンク２０を傾斜させたときに汚水が滞留することを防止できる。矩形水平枠２７がシンク２０を支持しているので、シンク２０に加わる加重の一部を矩形水平枠２７で支持することができ、シンク２０を軽量化できる。くわえて、矩形水平枠２７からシンク２０を取り外すことができるので、シンク２０の洗浄作業などの負担が軽減される。また、排水口２５がシンク２０の長手方向の両端部から等距離となる位置にあるので、排水口を一方の端部側に設けているときよりも排水に掛かる時間を短縮できる。シンク２０の両端部を平面視において略半円形状としたので、汚水が滞留しにくくなると共に、獣医師や動物看護師など診察や手術などの動作がシンクの角部によって阻害されない。シンクを傾斜したときに、環状パイプ枠２１によって汚水がしたたり落ちることを阻止するので、シンクを大きく傾斜させることができる。以上のように、獣医科用処置手術台１０は、処置台と手術台との利便性を兼ね備えており、さらにストレッチャのように利用することも可能であるるので、従来型の処置台とは異なる利便性を持っている。さらに、排水容器に汚水を貯留できるので、排水設備がない部屋などでも使用可能であり、機動的な診察や処置が可能となる。
【００５８】
なお、本発明は、以上に説明した各実施の形態の説明内容に限定されるものではなく、各請求項に記載した範囲を逸脱しない限りにおいて、種々の形態に変えることが可能である。
【符号の説明】
【００５９】
１０      獣医科用処置手術台
２０      シンク
２１      環状パイプ枠
２１ａ    長軸部
２１ｂ    長軸部
２１ｃ    端部
２１ｄ    端部
２２      側面板
２３ａ    長軸傾斜面
２３ａａ  上端部
２３ｂ    長軸傾斜面
２３ｃ    端部傾斜面
２３ｄ    端部傾斜面
２４      底面板
２５      排水口
２６      環状支持部材
２６ａ    スリット
２７      矩形水平枠
２７ａ    長辺部
２７ｂ    長辺部
２７ｃ    短辺部
２７ｄ    短辺部
２８ａ    支柱材
２８ｂ    支柱材
２８ｃ    支柱材
２８ｄ    支柱材
２９ａ    シンク固定ねじ
２９ｂ    シンク固定ねじ
２９ｃ    シンク固定ねじ
２９ｄ    シンク固定ねじ
３０      伸縮脚
３０ａ    伸縮部
３１      伸縮脚
３１ａ    伸縮部
３２      梁材
３３      回転軸
３４      回転軸
３５      載置板
３５ａ    容器保持開口部
３６      脚接続部材
３７      脚接続部材
３８      枠部材
３９      枠部材
４０      伸縮機構
４１      伸縮機構
４２      アクチュエータ
４３      アクチュエータ
４４ａ    支持部材
４４ｂ    支持部材
４５ａ    キャスタ
４５ｂ    キャスタ
４５ｃ    キャスタ
４５ｄ    キャスタ
４６      排水容器
５０      支持フレーム
５１      中間部材
５２      頂部
５３      端部部材
５３ａ    スリット
５４      固定クランプ
５４ａ    ねじ
５５      角度・高さ調整クランプ
５５ａ    ねじ
５６      端部部材
５６ａ    スリット
５７      固定クランプ
５７ａ    ねじ
５８      角度・高さ調整クランプ
５８ａ    ねじ
５９ａ    ロープ固定具
５９ｂ    ロープ固定具
６０      中央天板
６０ａ    スリット
６１      中央領域
６２ａ    突出部
６２ａａ  抜け止め部分
６２ａｂ  抜け止め部分
６２ｂ    突出部
６２ｃ    突出部
６２ｄ    突出部
６２ｅ    突出部
６２ｆ    突出部
６３      端部天板
６３ａ    スリット
６３ｂ    切欠部
６４      中央領域
６５ａ    突出部
６５ａａ  抜け止め部分
６５ａｂ  抜け止め部分
６５ｂ    突出部
６５ｃ    突出部
６６      端部天板
６６ａ    スリット
６６ｂ    切欠部
６７      中央領域
６８ａ    突出部
６８ａａ  抜け止め部分
６８ａｂ  抜け止め部分
６８ｂ    突出部
６８ｃ    突出部
７０      環状パイプ枠
７１      環状支持部材
７２      挿入スペース
７３      保持部
７４      突出部
７５      環状パイプ枠
７６      環状支持部材
７７      スリット
７８      円形開口部
８０      中心軸
８１      サージカルドレープ
９０      獣医科用処置手術台
９１      天板
９２      簀の子
９３      簀の子
９４      シャワーヘッド
９５      混合水栓
【図１】
2015062566.tif 000003
【図２】
2015062566.tif 000004
【図３】
2015062566.tif 000005
【図４】
2015062566.tif 000006
【図５】
2015062566.tif 000007
【図６】
2015062566.tif 000008
【図７】
2015062566.tif 000009
【図８】
2015062566.tif 000010
【図９】
2015062566.tif 000011
【図１０】
2015062566.tif 000012
【図１１】
2015062566.tif 000013
【図１２】
2015062566.tif 000014
【図１３】
2015062566.tif 000015
【図１４】
2015062566.tif 000016
【図１５】
2015062566.tif 000017